(57)【要約】【課題】表示部を正面に配置し、入力部を背面に配置した場合においても、情報の入力操作を、容易に行うことができる携帯端末を提供すること。【解決手段】携帯端末本体の背面に設けられる複数の入力ボタン１４を含む入力部１５と、携帯端末本体の正面に設けられる表示部１３と、を備える携帯端末１において、表示部１３に表示すべき通常画像情報に、入力部１５に対応する画像情報１４´を重畳して表示する表示制御手段、を備える。【選択図】          図１
2005228054.tif 000002
【特許請求の範囲】
【請求項１】
携帯端末本体の背面に設けられる複数の入力ボタンを含む入力部と、前記携帯端末本体の正面に設けられる表示部とを備える携帯端末において、
前記表示部に表示すべき通常画像情報に、前記入力部に対応する画像情報を重畳して表示する表示制御手段を備えることを特徴とする携帯端末。
【請求項２】
前記入力部を示す画像情報の表示及び非表示を切り替えるための表示切換手段をさらに備えることを特徴とする請求項１に記載の携帯端末。
【請求項３】
前記表示切換手段は、携帯端末本体の側面に設けられるスイッチであることを特徴とする請求項２に記載の携帯端末。
【請求項４】
前記入力部を示す画像情報は、入力ボタン形状に対応する画像情報および入力ボタン上の文字ラベルに対応する画像情報を含むことを特徴とする請求項１〜３の何れか一つに記載の携帯端末。
【請求項５】
前記表示制御手段は、携帯端末に動作状態に応じて前記文字ラベルに対応する画像情報を異ならせて前記表示部に表示することを特徴とする請求項４に記載の携帯端末。
【請求項６】
前記入力部を示す画像情報は、半透過的に表示されることを特徴とする請求項１〜５の何れか一つに記載の携帯端末。
【請求項７】
前記携帯端末本体は、前記入力部が設けられた第１の本体部と、前記表示部が設けられた第２の本体部と、少なくとも前記入力部が背面側に位置し前記表示部が正面側に位置するように前記第１の本体部及び前記第２の本体部を折りたたみ可能なように前記第１の本体部及び前記第２の本体部を接続するヒンジ部とを備えることを特徴とする１〜６の何れか一つに記載の携帯端末。
【請求項８】
携帯端末本体の背面に設けられる前記入力部は、利用者の両手で両側面側から携帯端末本体を保持した際に人差し指、中指、薬指、若しくは小指によって入力可能な位置に設けられていることを特徴とする請求項１〜７の何れか一つに記載の携帯端末。
【請求項９】
携帯端末本体の正面側には、利用者の両手で両側面側から携帯端末本体を保持した際に利用者の親指で操作可能な位置に入力部が設けられていることを特徴とする請求項１〜８の何れか一つに記載の携帯端末。
【請求項１０】
携帯端末本体の側面に入力部を更に備え、
前記表示制御手段は、前記携帯端末本体の側面に備えられた入力部に対応する画像情報も、前記表示部に表示することを特徴とする請求項１〜９の何れか一つに記載の携帯端末。
【請求項１１】
利用者に対する携帯端末本体の保持方向を検出する保持方向検知手段を更に備え、
前記表示制御手段は、保持方向検知手段で検知した保持方向に応じて前記入力部を示す画像情報のうち少なくとも前記文字ラベルに対応する画像情報が利用者に対し正対するように表示することを特徴とする請求項４〜１０に記載の何れか一つに記載の携帯端末。
【発明の詳細な説明】
【技術分野】
【０００１】
本発明は、情報の表示機能及び入力機能を有する携帯端末に関し、特に携帯端末本体の正面に表示部を有し、背面に入力部を有する携帯端末に関するものである。
【背景技術】
【０００２】
従来、携帯端末は正面上部に携帯性を損なわない大きさの範囲でディスプレイが設けられ、且つ正面下部には携帯端末に各種情報を入力するためのボタンが設けられているのが一般的なレイアウトであった。このような携帯端末としては、例えば、携帯電話や電子手帳が知られている。携帯端末の利用者は、ボタン及びディスプレイが設けられた携帯端末の正面を当該利用者側に向けることによってボタンの位置の確認、およびディスプレイによる入力内容の確認を行っていた。
【０００３】
近年、電子メール、インターネット・ブラウザ等の利用が広まるに伴い携帯端末のディスプレイに表示される情報量が増大しており、ディスプレイを大画面化することによりさらに多くの情報を表示する携帯端末へのニーズが高まってきている。このため、携行性を損なわずにディスプレイを拡大することができる技術が求められており、その一例として、携帯端末を使用しない携行時には携帯端末を折りたたみ、携帯端末を使用する際には折りたたまれた携帯端末を展開することができる折りたたみ型の携帯端末が利用されるようになってきている。
【０００４】
図８及び図９は従来の折りたたみ型の携帯端末７０を示す図である。図８及び図９に示すように、折りたたみ型の携帯端末７０は、入力ボタン７１が設けられた入力パネル７２とディスプレイ７３が設けられた表示パネル７４とをヒンジ部７５を介して回動自在に接続している。
【０００５】
利用者は、矢印７７に沿って入力ボタン７１を覆うように表示パネル７４を折りたたむことができるとともに、利用時には表示パネル７４を展開することによってディスプレイ７３及び入力ボタン７１を利用者側に臨むように配置することができる。すなわち、表示パネル７４および入力パネル７２を矢印７７の方向に折りたたむことにより携行時の省スペース性を実現し，逆に矢印７８の方向に展開することによって表示パネル７４および入力パネル７２の視認を可能としている。
【０００６】
このような折りたたみ型の携帯端末の派生型として、ヒンジ部７５の機構を工夫することにより、表示パネル７４を入力パネル７２に対し矢印７９で示す方向に回転可能としているものがある。このような携帯端末では、表示パネル７４を図９に示す状態から矢印７９で示す方向に１８０度回転（反転）させ、この反転状態で表示パネル７４を矢印７７で示す方向に折りたたむこともできる。このように折りたたんだ状態では、表示パネル７４のディスプレイ７３側は外部に露出され、入力パネル７９の入力ボタン７１側は隠れた状態になる。
【０００７】
さらに、他の従来技術として、図９に示す状態に位置している表示パネル７４を矢印８０に示す方向に折り畳むようにした携帯電話機もある（例えば、特許文献１）。この携帯電話機においては、折りたたんだ状態では、表示パネル７４および入力パネル７９は互いに背を向けた状態となり、表示パネル７４のディスプレイ７３側および入力パネル７９の入力ボタン７１側の双方が外部に露出された状態となる。
【０００８】
【特許文献１】特開２００３−１６９１１２号公報（図２参照）
【発明の開示】
【発明が解決しようとする課題】
【０００９】
しかしながら、折りたたみ型の携帯端末では、入力操作を行う度に開閉操作を行っていたのでは、ヒンジ部の耐久性や堅牢性が低下し、また利用時（展開時）の不意の応力などによりヒンジ部が故障するなどの問題がある。
【００１０】
すなわち、折りたたみ型の携帯端末では、入力操作を行う際には、携帯機器を折り畳んだ状態で使用するほうが、ヒンジ部の故障等の面からは好ましい。例えば、特許文献１の携帯電話機の場合、折りたたんだ状態では、表示パネルのディスプレイ側および入力パネルの入力ボタン側の双方が外部に露出された状態となっているものの、この折りたたみ状態で入力を行う場合は、利用者は、ディスプレイおよび入力ボタンの何れかしか視認することができず、携帯端末を回転させて表示パネルと入力パネルを交互に目視しながら入力操作を行わなければならず、操作性が悪化する。また、ディスプレイの背面側に多数の入力ボタンを配置した場合、利用者がその位置を暗記するのは困難であり、操作の習得性も悪化する。このため、特許文献１の携帯電話機の場合は、入力操作のためには、表示パネルと入力パネルを展開させる必要がある。
【００１１】
このように、携行性を犠牲にせずに、耐久性、堅牢性を確保しつつ、より広い表示部を確保するためには、基本的にはヒンジ部を無くして、かつ表示部を正面に配置し入力部を利用者からは見えない背面側に配置するのが望ましい。
【００１２】
しかし、このような構成では、前述したように、携帯端末を回転させて表示部と入力部を交互に目視しながら入力操作を行わなければならないので、操作性および操作の習得性が悪化するという問題がある。
【００１３】
本発明は、上記に鑑みてなされたものであって、表示部を正面に配置し入力部を背面に配置した場合においても、情報の入力操作を容易に行うことができる携帯端末を提供することを目的とする。
【課題を解決するための手段】
【００１４】
上述した課題を解決し、目的を達成するために、本発明は、携帯端末本体の背面に設けられる複数の入力ボタンを含む入力部と、前記携帯端末本体の正面に設けられる表示部とを備える携帯端末において、前記表示部に表示すべき通常画像情報に、前記入力部に対応する画像情報を重畳して表示する表示制御手段を備えることを特徴とする。
【００１５】
この発明によれば、表示部を正面に配置し入力部を背面に配置するとともに、表示制御手段によって、表示部に表示すべき通常画像情報に入力部に対応する画像情報を重畳して表示するようにする。
【発明の効果】
【００１６】
この発明によれば、表示部を正面に配置し入力部を背面に配置するとともに、表示制御手段によって、表示部に表示すべき通常画像情報に入力部に対応する画像情報を重畳して表示するようにしたので、背面に配置される入力部の各入力ボタンの物理的配置が表示部で目視確認できるようになり、表示部を正面に配置し入力部を背面に配置するという携行性を犠牲にせずに耐久性、堅牢性を確保しつつより広い表示部が確保できる構成を採用した場合においても、操作性が向上し、利用者は情報の入力操作を容易に行うことができるようになる。
【発明を実施するための最良の形態】
【００１７】
以下に、本発明にかかる携帯端末の実施の形態を図面に基づいて詳細に説明する。なお、この実施の形態によりこの発明が限定されるものではない。
【００１８】
実施の形態１．
図１は、実施の形態１にかかる携帯端末１を示す外観図である。図１において、左側は携帯端末１を正面側から見た図であり、右側は携帯端末１を背面側から見た図である。
【００１９】
図１に示すように、実施の形態１に係る携帯端末１は、携帯端末本体１０の正面側に設けられた正面パネル１１には表示部１３が、本体１０の背面側に設けられた背面パネル１２には複数の入力ボタン１４から成る入力部１５がそれぞれ設けられている。さらに、携帯端末本体１０の側面には、表示切換手段としての表示切換スイッチ１６が設けられている。
【００２０】
この携帯端末１では、ヒンジなどによる開閉機構を有しておらず、したがって、正面パネル１１の表示部１３を利用者側に向けている状態では、背面パネル１２側の入力部１５は利用者からは見えない。
【００２１】
入力部１５には、複数の入力ボタン１４が設けられている。各入力ボタン１４の上面には、各ボタンの入力文字を示すラベル（図１では図示していない）が印字されている。例えば、携帯電話機のように１つの入力ボタン１４に、「２」、「か行」「Ａ」、「Ｂ」、「Ｃ」のような複数のボタンが割り当てられている場合には、この入力ボタン１４には、「２」、「か」、「Ａ」、「Ｂ」、「Ｃ」のラベルが印字されている。そして、入力モードや押し下げ回数に応じて、この１つの入力ボタン１４から「２」、「Ａ」、「Ｂ」、「Ｃ」の如き数字や文字、或いは、ひらがなやカタカナを入力することができる。なお、図１では、入力部１５として入力ボタンを用いるようにしているが、その他の入力デバイス、例えばトラックポイント、トラックボール、タッチパネル等を入力キーとして入力部１５に設置することも勿論可能である。
【００２２】
表示部１３は、例えば液晶ディスプレイ、プラズマディスプレイなどによって構成されており、正面パネル１１のほぼ全域に亘って設けられている。表示部１３は、携帯端末１の使用状況に応じた通常画像情報の画面表示を行う。すなわち、表示部１３には、電子メールやインターネット・ブラウザを用いて他の携帯端末１に送信されてきた各種情報や、入力ボタン１４、１４ａ、１４ｂから入力された情報を表示することができる。また、表示部１３には、通常の表示内容に加えて、後述する入力部１５に対応する画像情報１４´、１４ａ´、１４ｂ´を重畳して表示することもできる。図１の表示部１３では、通常のＡ，Ｂ，Ｃの表示内容に、入力ボタン１４、１４ａ、１４ｂに対応する画像情報１４´１４ａ´、１４ｂ´が重畳表示されている。
【００２３】
表示切換スイッチ１６は、入力ボタン１４、１４ａ、１４ｂに対応する画像情報１４´、１４ａ´、１４ｂ´の表示及び非表示を切り替える機能を有する。すなわち、表示切換スイッチ１６をオン状態にすることによって、背面パネル１２に配置された入力ボタン１４を示す画像情報がソフトウェアを用いて表示部１３に表示される。
【００２４】
図２は、携帯端末１の制御構成を示す機能ブロック図である。同図に示すように、携帯端末１は、表示部１３、入力部１５、および表示切換スイッチ１６に加えて、制御部１７、プログラム等のデータを記憶する記憶部１８を備えている。
【００２５】
制御部１７は、演算並びに制御機能を有するＣＰＵ（Central Processing Unit）および所定のＯＳ（Operation System）を起動するプログラムを少なくとも記憶するＲＯＭ（Read Only Memory）等によって構成され、記憶部１８からソフトウェア（プログラム）を読み出して表示部１３における表示制御を実行する。
【００２６】
この場合、記憶部１８に格納されるソフトウェア（特許請求の範囲でいうところの表示制御手段に対応）は、本携帯端末にかかる通常の表示処理に加えて、入力部１５に対応する画像情報を重畳して表示する機能を有している。すなわち、このソフトウェアでは、入力部１５の各ボタン１４に対応する画像情報（ボタン上のラベルに対応する画像情報も含まれる）および各ボタンの画像情報を表示すべき位置を示す位置情報を予め記憶しており、これらの記憶情報に基づいて入力部１５に対応する画像情報を透過表示などによって、通常の画像情報に重畳して表示する。
【００２７】
以上の構成を有する携帯端末１において、利用者が表示切換スイッチ１６をオン状態にすると、図３に示すように、通常の画像情報である「お元気ですか。私は元気です。」に対し、表示部１３の背後にある入力部１５に対応する画像情報１４´が例えば、透過表示される。この場合、透過表示される画像情報１４´は、入力ボタン１４に対応する画像情報および各入力ボタンに割り当てられたラベルに対応する画像情報から成る。このように、表示切換スイッチ１６をオン状態にすると、裏面にある入力部１５に対応する画像情報１４´が擬似的に表示部１３に表示されることになる。なお、この場合は、入力部１５に対応する画像情報を透過表示するようにしたが、通常の表示内容と同様に表示してもよいし、コントラストを明確にするための措置として、例えば通常の表示内容と入力部１５に対応する画像情報とで色や濃淡の度合いに変化を持たせるようにしてもよい。
【００２８】
また、入力部１５に対応する画像情報１４´としては、図１の入力ボタン１４ａ、１４ｂ、…がその真裏に画像情報１４ａ´、１４ｂ´として表示されるように、入力ボタン１４の位置、形状、及びサイズをそのまま再現するようにしてもよいし、利用者によってその表示位置、形状、サイズを任意に変更設定できるようにしてもよい。例えば、その設定により表示部１３の右下などの隅部に、入力部１５に対応する画像情報１４´を縮小表示させることも可能である。
【００２９】
また、１つの入力ボタン１４に、「２」、「か行」「Ａ」、「Ｂ」、「Ｃ」のような複数のボタンが割り当てられている場合には、携帯端末に動作状態に応じた異なる文字ラベルを各入力ボタンに割り当てられたラベル情報として表示部１３に表示するようにしてもよい。例えば、入力モード（漢字、英字、数字、カタカナ、全角／半角）が変化すれば、変化した入力モードに応じたラベルを表示するようにしたり、ラベルの表示の有無を切り替えるようにすることもできる。
【００３０】
このように実施の形態１によれば、表示部を正面に配置し入力部を背面に配置した携帯端末において、本来、正面から見えない入力部１５が表示部１３に擬似的に表示されていることになり、利用者は、表示部１３に擬似的に表示されている入力部１５の画像を頼りにして、入力部１５を直接見ることなく入力部１５の構成（入力ボタン等の配置およびラベル）を認識することが可能となる。したがって、利用者は、携帯端末１を回転させることなく、背面への入力操作を容易に行うことができる。また、入力部１５に対応する画像情報は半透明に表示されており、この入力ボタンに対応する画像情報に重ねて通常の表示内容が表示された場合でも、入力ボタンボタンに対応する画像情報と通常の表示内容とが識別可能となっている。また、この実施の形態１の携帯端末によれば、折りたたみ型の携帯端末のようにヒンジ部を有していないことから、堅牢性や耐久性を確保することができる。
【００３１】
なお、上記構成では、携帯端末本体１０の側面に専用の表示切換スイッチ１６を設けるようにしたが、背面パネル１２側または正面パネル１１側に表示切換スイッチ１６を設けるようにしてもよいし、入力部１５内の１〜複数の入力ボタン１４に、表示切換スイッチ１６の機能を割り当てるようにしてもよい。
【００３２】
本実施の形態１の携帯端末は、携帯電話に加えて、ＰＨＳ（Personal Handyphone System）、ＰＤＡ（Personal Digital Assistants）等の電子機器は勿論のこと、携帯可能で入力および表示機能を具備する小型の電子的な端末機器であれば如何なるものであっても適用可能である。
【００３３】
実施の形態２．
次に、図４及び図５を参照しながら実施の形態２の携帯端末について説明する。図４は、実施の形態２にかかる携帯端末２０の外観図であり、図５は同携帯端末２０の側面図である。図４及び図５に示す携帯端末２０は、実施の形態１で説明した携帯端末１の機能を折りたたみ型の携帯端末に応用した例である。
【００３４】
この携帯端末２０は、入力パネル（第１の本体部）２１に設けられた複数の入力ボタン２２を有する入力部２３、表示パネル（第２の本体部）２４に設けられた表示部２５、入力パネル２１および表示パネル２４を折りたたみ、展開可能に接続するヒンジ部２９を有する。さらに、表示パネル２４の側面には、入力ボタン２２に対応する画像情報１４の表示及び非表示を切り替える表示切換スイッチ２６が設けられている。
【００３５】
表示パネル２４はヒンジ部２９を回転軸として、矢印２７または矢印２８に示す方向に回転可能である。方向２７で示す向きに表示パネル２４を回転させることによって携帯端末２０が折りたたまれ、表示パネル２４が入力部２３を覆う。一方、矢印２８に示す向きに表示パネル２４を回転させることによって入力パネル２１の背面と表示パネル２４の背面とを当接させた状態に折りたたむこともできる。
【００３６】
ここで、矢印２８に示す向きに表示パネル２４を回転させて、入力パネル２１の背面と表示パネル２４の背面とを当接させた状態では、先の実施の形態１の携帯端末１と同じ状態となる。したがって、この状態で、表示切換スイッチ２６をオンにすれば、実施の形態１と同様、入力部２３に対応する画像情報を透過表示などによって、通常の画像情報に重畳して表示部２５に表示することができる。なお、この場合、表示切換スイッチ２６をオンにすれば、無条件に表示部２５に対し入力部２３に対応する画像情報を表示するようにしてもよいし、入力パネル２１の背面と表示パネル２４の背面とが当接された状態を適宜のセンサで検出し、表示切換スイッチ２６をオンでかつ入力パネル２１の背面と表示パネル２４の背面とが当接された状態にあるときにのみ、表示部２５に対し入力部２３に対応する画像情報を表示するようにしてもよい。
【００３７】
実施の形態２の携帯端末の場合、入力操作の際に、携帯端末を必ずしも展開させる必要がないので、展開時においてヒンジ部２９に余分な応力が加わる機会が減少し、ヒンジ部の故障が減少する。また、実施の形態２の携帯端末の場合、机上等において入力する場合には通常の折り畳み型携帯端末と同様に携帯端末２０を安定させた状態（例えば図４に示す状態）にして机上に載置するなどして利用することも可能であり、この意味では利用状況に応じて柔軟に利用されることが可能となる。
【００３８】
実施の形態３．
次に、図６を参照しながら、実施の形態３にかかる携帯端末４０について説明する。本実施の形態にかかる携帯端末４０は、実施の形態１で説明した携帯端末１の構造を応用した例であり、利用者の両手の掌によって携帯端末４０を側面側から保持することによって、さらに安定して入力操作を行うことができることを特徴とする。
【００３９】
図６は、携帯端末４０を正面側から見た外観図である。携帯端末４０は、略平板状の外形を有し、且つ両手の掌で保持しやすい程度の厚み（例えば、５ｍｍ〜８０ｍｍ、より好ましくは７ｍｍ〜３０ｍｍ）を有している。さらに、携帯端末４０の正面側には、表示部４１と、表示部４１の両側に配置される一対のスイッチ４２が設けられている。携帯端末の背面側には、複数の入力ボタン（図示せず）を含む入力部が配置されている。携帯端末４０の上面には、背面側の入力ボタン（入力部）に対応する画像情報４３´を表示部４１に表示するか否かを切り替える表示切換スイッチ４５および他の入力ボタン４６が設けられている。
【００４０】
携帯端末４０の背面側に配置される複数の入力ボタンは、利用者が携帯端末４０を側面側から掌で保持した際に掌の人差し指、中指、薬指、若しくは小指によって操作可能な範囲（例えば、側面から５ｍｍ〜９０ｍｍ程度、より好ましくは５ｍｍ〜７０ｍｍ）に設けられている。また、携帯端末４０の上面側に配置される入力ボタン４６および表示切換スイッチ４５は、利用者の人差し指を用いて操作しやすい位置（例えば、側面から５ｍｍ〜６０ｍｍ、好ましくは１０ｍｍ〜５０ｍｍ）に設けられる。さらに、携帯端末４０の正面側に配置される一対のスイッチ４２は、利用者の親指を用いて操作しやすい位置（例えば、側面から０〜５０ｍｍ程度、好ましくは５ｍｍ〜３０ｍｍ程度）に設けられる。
【００４１】
携帯端末４０の正面側に配置される一対のスイッチ４２は、背面に配置される複数の入力ボタン（この場合４×６）の個数以上の入力コードを割り当てることができる。例えば、２つのスイッチ４２のオン・オフを組合せることによって、４種類の入力モードを設定することができる。すなわち、スイッチ４２によって４つの入力モードを変更することにより、背面に４行×６列で配置された２４個の入力ボタンに９６通りのキー入力を割り当てることができる。
【００４２】
かかる携帯端末４０によれば、表示切換スイッチ４５をオンにすれば、携帯端末４０の背面に設けられた入力ボタンに対応する画像情報４３´、携帯端末の上面に設けられた入力ボタン４６、表示切換スイッチ４５に対応する画像情報４６´、４５´を、通常の画像情報に重畳して表示する。入力ボタン４６、表示切換スイッチ４５に対応する画像情報４６、４５´は、表示部４１の表示領域内であって入力ボタン４６および表示切換スイッチ４５に近い表示領域にボタン形状として表示される。この場合、各画像情報４３´、４５´、４６´には、先の実施の形態１，２と同様、キーラベルの表示がおこなわれているが、図示は便宜上省略した。
【００４３】
このように実施の形態３においては、利用者の両手の掌によって携帯端末を側面側から保持して入力操作が行えるように各ボタン、スイッチを配置するとともに、表示切換スイッチ４５の操作によって携帯端末４０の背面に設けられた入力ボタンに対応する画像情報４３´、携帯端末の上面に設けられた入力ボタン４６および表示切換スイッチ４５に対応する画像情報４６´および４５´を表示部４１に表示させるようにしたので、利用者は、携帯端末４０を回転させることなく、背面への入力操作を容易に行うことができる。
【００４４】
なお、携帯端末の上面に設けられた入力ボタン４６を表示切換スイッチ４５として機能させるようにしてもよい。この場合、例えば、利用者に向かって右側の表示切換スイッチ４５をオンにすれば、背面に設けられた複数の入力ボタンのうちの右側に配置さえる入力ボタンを表示部４１に表示し、利用者に向かって左側の表示切換スイッチ４５をオンにすれば、背面に設けられた複数の入力ボタンのうちの左側に配置さえる入力ボタンを表示部４１に表示するように設定する。このようにすれば、表示切換スイッチ４５をオンにしていない側には、通常の表示内容のみを表示させることができる。
【００４５】
実施の形態４．
次に、図７を参照しながら実施の形態４にかかる携帯端末５０について説明する。図７に示す実施の形態４の携帯端末５０は、上記実施の形態１〜３で説明した携帯端末の何れかと同様の構成に加えて、利用者に対する携帯端末本体の保持方向を検出する保持方向検知部５１を備え、保持方向検知部５１で検知した保持方向に応じて、表示部５２に表示した入力部に対応する画像情報５３´のうち少なくとも文字ラベルに対応する画像情報が利用者に対し正対するように表示するようにしている。
【００４６】
図７は、携帯端末５０を正面から見た一部平面図であり、この携帯端末５０に対し利用者が矢印５４で示す方向に向いているとする。前述の表示切換スイッチ（図示せず、１６又は２６又は４５）がオンにされ、携帯端末５０の正面に配設される表示部５２には、携帯端末５０の背面に配設される入力部（図示せず）に対応する画像情報５３´が例えば透過表示されている。
【００４７】
このような透過表示が行われる際、保持方向検知部５１は、利用者に対する携帯端末本体の保持方向を検出し、この検出信号を図２に示す制御部１７に入力する。制御部１７は、入力された検出信号に基づいて、表示部５２に表示した入力部に対応する画像情報５３´のうち少なくとも文字ラベルに対応する画像情報を、表裏方向、上下方向、左右方向に３次元的に回転させ、文字ラベルが利用者に対し正対するように表示するよう制御する。
【００４８】
このように実施の形態４によれば、利用者に対する携帯端末の保持方向に応じてラベル表示を回転させるようにしたので、携帯端末の操作性を一段と向上させることが可能になる。
【００４９】
なお、上記では、利用者に対する携帯端末本体の保持方向に応じて、ラベル表示のみを回転させるようにしたが、入力ボタンを回転させるようにしてもよい。
【産業上の利用可能性】
【００５０】
以上のように、本発明にかかる携帯端末は、ディスプレイの大画面化を所望する携帯端末に有用である。
【図面の簡単な説明】
【００５１】
【図１】実施の形態１にかかる携帯端末の外観を示す斜視図である。
【図２】実施の形態１にかかる携帯端末の制御構成を示すブロック図である。
【図３】実施の形態１にかかる携帯端末の表示内容の具体例を示す図である。
【図４】実施の形態２にかかる携帯端末の外観を示す斜視図である。
【図５】実施の形態２にかかる携帯端末の側面図である。
【図６】実施の形態３にかかる携帯端末の正面図である。
【図７】実施の形態４にかかる携帯端末の平面図である。
【図８】従来の携帯端末の外観図である。
【図９】従来の携帯端末の側面図である。
【符号の説明】
【００５２】
１  携帯端末
１０  携帯端末本体
１１  正面パネル
１２  背面パネル
１３  表示部
１４，１４ａ，１４ｂ  入力ボタン
１４´、１４ａ´、１４ｂ´  入力ボタンに対応する画像情報
１５  入力部
１６  表示切換スイッチ
１７  制御部
１８  記憶部
２０  携帯端末
２１  入力パネル
２２  入力ボタン
２３  入力部
２４  表示パネル
２５  表示部
２６  表示切換スイッチ
２９  ヒンジ部
４０  携帯端末
４１  表示部
４２  スイッチ
４５  表示切換スイッチ
４６  入力ボタン
５０  携帯端末
５１  保持方向検知部
５２  表示部
【図１】
2005228054.tif 000003
【図２】
2005228054.tif 000004
【図３】
2005228054.tif 000005
【図４】
2005228054.tif 000006
【図５】
2005228054.tif 000007
【図６】
2005228054.tif 000008
【図７】
2005228054.tif 000009
【図８】
2005228054.tif 000010
【図９】
2005228054.tif 000011